(57)【要約】【課題】靴カバーを靴からはずれ難くすると共に、足を挿入し易い靴カバーを提供すること。【解決手段】略筒状の基本形態を備えることで、少なくとも靴７０の靴底部側面７４から靴７０の甲の部分に対応したアッパー部７６の周囲を覆うことができるカバー体であって、少なくとも、カバー体のアッパー部７６に対応したアッパーカバー部１２と、靴の靴底部側面７４に対応した靴底カバー部１４とが、伸縮素材により形成されることで、アッパー部７６と靴底部側面７４とに対して、圧接するようにされており、かつ、靴底カバー部１４が靴底部側面７４に対して圧接する圧接力よりも、アッパーカバー部１２がアッパー部７６の周囲に対して圧接する圧接力が弱くなるように設定されている、ことを特徴とする。【選択図】      図１
2004230035.tif 000002
【特許請求の範囲】
【請求項１】
略筒状の基本形態を備えることで、少なくとも靴の靴底部側面から靴の甲の部分に対応したアッパー部の周囲を覆うことができるカバー体であって、
少なくとも、前記カバー体の前記アッパー部に対応したアッパーカバー部と、前記靴の靴底部側面に対応した靴底カバー部とが、伸縮素材により形成されることで、前記アッパー部と前記靴底部側面とに対して、圧接するようにされており、
かつ、前記靴底カバー部が前記靴底部側面に対して圧接する圧接力よりも、前記アッパーカバー部が前記アッパー部の周囲に対して圧接する圧接力が弱くなるように設定されている
ことを特徴とする、靴カバー。
【請求項２】
前記カバー体の全体が、同一の伸縮性を有する素材で形成されており、前記アッパーカバー部の内周が前記アッパー部の外周よりも小さく、前記靴底カバー部の内周が前記靴底部側面の外周よりも小さく設定されており、かつ、前記アッパー部の水平断面の投影面積に対する前記アッパーカバー部の水平断面の投影面積の比率が、前記靴底部側面の水平断面の投影面積に対する前記靴底カバー部の水平断面の投影面積の比率よりも大きくなるようにされていることを特徴とする、請求項１に記載の靴カバー。
【請求項３】
前記靴底カバー部の表面に、外部の衝撃から前記靴底カバー部を保護することができる保護部材が設けられ、この保護部材は伸縮性を有する素材で形成されていることを特徴とする、請求項１および請求項２のいずれかに記載の靴カバー。
【請求項４】
前記靴底カバー部は、少なくとも、前記靴の土踏まずの側面と前記靴底カバー部の内面との隙間を埋めるための防水材を有し、この防水材は伸縮性を有する素材で形成されていることを特徴とする、請求項１ないし請求項３のいずれかに記載の靴カバー。
【請求項５】
前記防水材は、前記靴底部側面と接触する面に、凹部及び／又は凸部を有することを特徴とする、請求項４に記載の靴カバー。
【請求項６】
前記靴カバーは、ベルトにより前記靴に締め付けられるようになっており、前記ベルトは、前記カバー体の一方の側面から、前記靴の土踏まずの側面を経由して、前記カバー体の他方の側面に掛け渡すようになっていることを特徴とする、請求項１ないし請求項５のいずれかに記載の靴カバー。
【請求項７】
前記アッパーカバー部は、前記靴の履き口からでた脚の一部の周囲を覆うと共に、この脚の一部の周囲の空気を排気するための通気口を有し、かつ、この通気口へ前記脚の一部の周囲の空気を導くための弾性体から形成された通風路を有し、この通風路の一端は前記履き口より上部に配設され、前記通風路の他端は前記履き口より下部に配設されていることを特徴とする、請求項１ないし請求項６のいずれかに記載の靴カバー。
【発明の詳細な説明】
【０００１】
【発明の属する技術分野】
本発明は、靴に水が付着することを防止する靴カバーに関するものである。
【０００２】
【従来の技術】
従来より、靴へ雨水が付着することを防止するために、靴の表面に防水性のある靴カバーを被せるようにしている。
図１３は、この靴カバー１を靴２に被せた場合の概略縦断面図である。
この図に示されるように、靴カバー１は、略筒状の基本形態を備えることで、靴２の表面を覆っている。そして、略筒状の靴カバー１の上端開口４から足を挿入して、靴２の履き口７に足を入れられるようにしている。また、略筒状の靴カバー１の下端開口６から靴底２ａの滑り止め凹凸部２ｃを露出させて、靴カバー１を被せても、歩く際に滑らないようにしている。
【０００３】
また、靴カバー１は、クロロプレーンスポンジ等により形成されている。このクロロプレーンスポンジは伸縮性に優れているため、靴カバー１を、靴２の外形に対して小さく形成しても靴２に被せることができる。そして、このように外形を小さくすることにより、靴２に被せた場合に、靴カバー１を靴２に密着させ、靴カバー１が靴２から浮き上がることを防止している。
また、靴カバー１は、甲部の内側に第１の布ファスナー８を設け、この第１の布ファスナー８と、靴ひも３の裏側に設けられた第２の布ファスナー５を結合して、靴カバー１を靴２に接続している（例えば、特許文献１参照）。
【０００４】
【特許文献１】
実願２００１−４５５５のマイクロフィルム
【０００５】
【発明が解決しようとする課題】
ところで、上述のように、靴カバー１の内側と靴ひも３の裏側との双方に設けた布ファスナー５，８を結合する方法では、靴カバー１を靴２に接続し難い。また、このように、靴カバー１を、靴ひも３がある甲部の箇所でのみ接続し、甲部以外の箇所で靴２に密着させるだけでは、例えば歩いている際に、靴カバー１の下端開口６から砂利などが入り込んだ結果、靴カバー１が靴２から浮き上がり、そこから水が浸入してしまう恐れがある。
【０００６】
そこで、発明者は、クロロプレーンスポンジの伸縮性を利用して、靴カバー１を靴２に接続し、かつ靴カバー１の浮き上がりを防止する手段を考えた。すなわち、靴カバー１の内周を靴２の外周より極端に小さく形成して、靴２に被せれば、上述のように布ファスナー５，８を設けなくても、靴カバー１が靴２の周囲を強く圧接するため、容易に靴カバー１を靴２に接続できる。そして、靴カバー１は、靴２の靴底部側面９を強く圧接するため、例えば歩いた際にも砂利などが入り難く、靴カバー１の浮き上がりを防止できる。
【０００７】
しかし、靴カバー１を、靴２の周囲に強く圧接してしまうと、上述のようにウエットスーツは伸縮性が高いため、略筒状の靴カバー１の上端開口４の面積までも小さくなり、この上端開口４から足を挿入することが困難になってしまう。そして、このように足を挿入し難いと、例えば、突然の雨が降ってきた場合などは、足を靴カバー１に挿入する間、靴２の中に雨が入ってしまう。
【０００８】
本発明の目的は、上述の課題を解決するためのものであり、靴カバーが靴から外れ難くすると共に、靴カバーの浮き上がりを防止し、かつ、足を挿入し易い靴カバーを提供することを目的とする。
【０００９】
【課題を解決するための手段】
上記目的は、請求項１の発明によれば、略筒状の基本形態を備えることで、少なくとも靴の靴底部側面から靴の甲の部分に対応したアッパー部の周囲を覆うことができるカバー体であって、少なくとも、前記カバー体の前記アッパー部に対応したアッパーカバー部と、前記靴の靴底部側面に対応した靴底カバー部とが、伸縮素材により形成されることで、前記アッパー部と前記靴底部側面とに対して、圧接するようにされており、かつ、前記靴底カバー部が前記靴底部側面に対して圧接する圧接力よりも、前記アッパーカバー部が前記アッパー部の周囲に対して圧接する圧接力が弱くなるように設定されている、靴カバーにより達成される。
【００１０】
請求項１の構成によれば、靴カバーは、略筒状の基本形態を備えることで、少なくとも靴の靴底部側面から靴の甲の部分に対応したアッパー部の周囲を覆うことができるカバー体である。このため、少なくとも靴の靴底部側面およびアッパー部に水等が付着することを防止できる。また、略筒状の上端開口部から足を挿入することができ、さらに、略筒状の下端開口部から靴の底を露出して、歩く際に滑ることを防止できる。
【００１１】
また、靴カバーは、少なくとも、カバー体のアッパー部に対応したアッパーカバー部と、靴の靴底部側面に対応した靴底カバー部とが、伸縮素材により形成されることで、アッパー部と靴底部側面とに対して、圧接するようにされている。このため、アッパーカバー部と靴底カバー部とにより、アッパー部と靴底部を圧接して、靴から靴カバーが容易に外れてしまうことを防止できる。
ここで、靴底カバー部が靴底部側面に対して圧接する圧接力よりも、アッパーカバー部がアッパー部の周囲に対して圧接する圧接力が弱くなるように設定されている。これにより、靴底カバー部で、靴底部を強く圧接したとしても、アッパーカバー部が、アッパー部を靴底カバー部のように強く圧接するようなことはなくなる。したがって、アッパーカバー部の上側にある略筒状の上端開口部の面積が、靴底カバー部の圧接力につられて小さくなってしまうことを防止し、容易に略筒状の上端開口部から足を挿入できる。
【００１２】
請求項２の発明は、請求項１の構成において、前記カバー体の全体が、同一の伸縮性を有する素材で形成されており、前記アッパーカバー部の内周が前記アッパー部の外周よりも小さく、前記靴底カバー部の内周が前記靴底部側面の外周よりも小さく設定されており、かつ、前記アッパー部の水平断面の投影面積に対する前記アッパーカバー部の水平断面の投影面積の比率が、前記靴底部側面の水平断面の投影面積に対する前記靴底カバー部の水平断面の投影面積の比率よりも大きくなるようにされていることを特徴とする。
【００１３】
請求項２の構成によれば、カバー体は、アッパーカバー部の内周がアッパー部の外周よりも小さく、靴底カバー部の内周が靴底部側面の外周よりも小さく設定されている。このため、カバー体を引き伸ばして靴に被せると、アッパーカバー部と靴底カバー部とが、アッパー部と靴底部とを圧接する。
また、アッパー部の水平断面の投影面積に対するアッパーカバー部の水平断面の投影面積の比率が、靴底部側面の水平断面の投影面積に対する靴底カバー部の水平断面の投影面積の比率よりも大きくなるようにされている。このため、カバー体の全体が、同一の伸縮性を有する素材で形成されていても、靴底カバー部が靴底部側面に対して圧接する圧接力よりも、アッパーカバー部がアッパー部の周囲に対して圧接する圧接力が弱くなるように設定することができる。
【００１４】
請求項３の発明は、請求項１および請求項２のいずれかの構成において、前記靴底カバー部の表面に、外部の衝撃から前記靴底カバー部を保護することができる保護部材が設けられ、この保護部材は伸縮性を有する素材で形成されていることを特徴とする。
請求項３の構成によれば、靴底カバー部の表面に、外部の衝撃から靴底カバー部を保護するための保護部材が設けられているため、例えば石などの外部からの衝撃を受けても、靴底カバー部が切れてしまうこと等を防止できる。また、この保護部材は、伸縮性を有する素材で形成されているため、上述の靴底カバー部の伸縮性が損なわれることを有効に防止する。
【００１５】
請求項４の発明は、請求項１ないし請求項３のいずれかの構成において、前記靴底カバー部は、少なくとも、前記靴の土踏まずの側面と前記靴底カバー部の内面との隙間を埋めるための防水材を有し、この防水材は伸縮性を有する素材で形成されていることを特徴とする。
上述のように靴底カバー部は靴を圧接しているが、例えば靴の土踏まずの側面は括れているため、靴底カバー部と土踏まずの側面等との間に隙間が生じ、この隙間から水が浸入してくる恐れがある。ところが、請求項４の構成によれば、靴底カバー部は、少なくとも、靴の土踏まずの側面と靴底カバー部の内面との隙間を埋めるための防水材を有している。これにより、防水材が、靴底カバー部と少なくとも土踏まずの側面との間の隙間を埋めて、水の侵入を有効に防止できる。また、この防水材は伸縮性を有する素材で形成されているため、靴底カバー部の伸縮性が損なわれることを有効に防止する。
【００１６】
請求項５の発明は、請求項４の構成において、前記防水材は、前記靴底部側面と接触する面に、凹部及び／又は凸部を有することを特徴とする。
請求項５の構成によれば、防水材は、靴底部側面と接触する面に、凹部及び／又は凸部を有する。したがって、この凹部及び／又は凸部が滑り止めとなって、靴底カバー部が靴底部側面を滑って動くことを有効に防止できる。
【００１７】
請求項６の発明は、請求項１ないし請求項５のいずれかの構成において、前記靴カバーは、ベルトにより前記靴に締め付けられるようになっており、前記ベルトは、前記カバー体の一方の側面から、前記靴の土踏まずの側面を経由して、前記カバー体の他方の側面に掛け渡すようになっていることを特徴とする。
請求項６の構成によれば、靴カバーは、ベルトにより靴に締め付けられるようになっているため、靴カバーが靴から外れてしまうことを有効に防止する。特に、このベルトは、カバー体の一方の側面から、靴の土踏まずの側面を経由して、カバー体の他方の側面に掛け渡すようになっている。このため、靴底カバー部の靴底部を圧接する力が最も弱い部分である土踏まずの側面を、ベルトが締め付けることができる。
【００１８】
請求項７の発明は、請求項１ないし請求項６のいずれかの構成において、前記アッパーカバー部は、前記靴の履き口からでた脚の一部の周囲を覆うと共に、この脚の一部の周囲の空気を排気するための通気口を有し、かつ、この通気口へ前記脚の一部の周囲の空気を導くための弾性体から形成された通風路を有し、この通風路の一端は前記履き口より上部に配設され、前記通風路の他端は前記履き口より下部に配設されていることを特徴とする。
【００１９】
請求項７の構成によれば、アッパーカバー部は、靴の履き口からでた脚の一部の周囲を覆うようになっているため、脚の一部は雨などから保護されるが、この脚の一部および靴の中の足は、カバーされて蒸れ易い状態になってしまう。
ところが、アッパーカバー部は、脚の一部の周囲の空気を排気するための通気口を有するため、靴カバーの内側の湿気などを通気口から排気できる。また、アッパーカバー部は、通気口へ脚の一部の周囲の空気を導くための弾性体から形成された通風路を有し、この通風路の一端が履き口より上部に配設され、他端が履き口より下部に配設されている。そうすると、履き口より上部に配設された通風路は、例えば人が歩く毎に脚に当たって形状が変形するのに対し、履き口より下部に配設された通風路は、履き口より下には靴があるため、人が歩いても変形し難い。これにより、通風路は、人が動く度に所謂ポンプの役割をし、通風路に入った空気を効率よく通気口から排気できる。
【００２０】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２１】
図１ないし図３は、本発明の第１の実施形態にかかる靴カバー１０であって、図１は、靴に装着する前の概略縦断面図であり、図２は、図１のＡ−Ａ線の位置における水平断面図、図３は、図１のＢ−Ｂ線の位置における水平断面図である。
これらの図において、靴カバー１０は、略筒状の基本形態を備え、上端開口部１２ａと下端開口部１４ａとを有している。上端開口部１２ａは、足を挿入し、さらに、この挿入した足を靴７０の履き口７２に挿入できるように、履き口７２の位置に対応して配設されている。下端開口部１４ａは、靴カバー１０を被せても歩く際に滑らないように、靴７０の底を露出させるための開口であり、また、靴カバー１０を靴７０に被せるための開口でもある。すなわち、下端開口部１４ａは、履き口７２よりも大きな開口面積を有しており、履き口７２から靴カバー１０を被せるようになっている。
【００２２】
そして、靴カバー１０は、靴７０に被せた場合に、靴７０の靴底部側面７４から甲の部分に対応したアッパー部７６の周囲を覆うカバー体となっている。すなわち、靴カバー１０は、靴底部側面７４の外形に対応した靴底カバー部１４と、アッパー部７６の外形に対応したアッパーカバー部１２とを有し、靴底部側面７４およびアッパー部７６の周囲を覆うようになっている。この靴底カバー部１４とアッパーカバー部１２とは、例えば接着剤により接着され、一体に形成されている。なお、アッパーカバー部１２は、履き口７２より上方に延長されて、履き口７２からでた脚の一部８０の周囲も覆うように形成されており、脚の一部８０にも雨等が付着しないようになっている。
【００２３】
これらの靴底カバー部１４およびアッパーカバー部１２は、同一の伸縮性を有する素材、例えば、合成ゴムに発泡剤を混ぜて、これを熱で膨らませたウエットスーツの素材から形成されている。このウエットスーツの素材は、例えば、クロロプレーンスポンジの表裏面にジャージ等の生地を貼り合わせた物で、３００％〜５００％の高い伸縮性を有する。また、このウエットスーツの素材は、防水性や保温性等も有する。このため、靴カバー１０を靴７０に被せた場合に、例えば、水分の侵入を効果的に防止し、また、靴カバー１０が雨や雪に晒されてもさらに、足を保温することができる。なお、クロロプレーンスポンジの表裏面に、ジャージ等の生地を貼り合わせたのは、例えば、足を上端開口部１２ａから挿入する際、足を滑らせて挿入し易くするためであり、このジャージ等の生地はクロロプレーンスポンジ等と同等以上の伸縮性を有している。
【００２４】
そして、このウエットスーツの素材の高い伸縮性を利用して、靴カバー１０は、アッパー部７６および靴底部側面７４に対して、圧接するようにされている。すなわち、図２及び図３に示されるように、アッパーカバー部１２の内周Ｌ１は、アッパー部７６の外周Ｌ２よりも小さく形成されており、また、靴底カバー部１４の内周Ｌ３も、靴底部側面７４の外周Ｌ４よりも小さく形成されている。これにより、靴カバー１０を指などで引き伸ばして靴７０に被せ、靴カバー１０が靴７０から容易に外れてしまうことを防止している。
【００２５】
ここで、靴カバー１０は、靴底カバー部１４が靴底部側面７４に対して圧接する圧接力よりも、アッパーカバー部１２がアッパー部７６の周囲に対して圧接する圧接力が弱くなるように設定されている。具体的には、図２および図３に示されるように、アッパー部７６の水平断面の投影面積（すなわち、アッパー部７６で囲まれた空間の水平断面積も含む。）に対するアッパーカバー部１２の水平断面の投影面積（すなわち、アッパーカバー部１２で囲まれた空間の水平断面積も含む。）の比率が、靴底部側面７４の水平断面の投影面積（すなわち、靴底部側面７４で囲まれた空間の水平断面積も含む。）に対する靴底カバー部１４の水平断面の投影面積（すなわち、靴底カバー部１４で囲まれた空間の水平断面積も含む。）の比率よりも大きくなるように形成されている。本実施形態においては、靴底部側面７４の水平断面の投影面積に対する靴底カバー部１４の水平断面の投影面積の比率は、靴カバー１０を靴７０に被せる際に、靴底カバー部１４と靴底部側面７４との間に指を入れることができ、かつ、靴底部側面７４を圧接することができるように、約７０％となるように形成されている。これに対して、アッパー部７６の水平断面の投影面積に対するアッパーカバー部１２の水平断面の投影面積の比率は、９０％となるように形成されている。
【００２６】
本第１の実施形態は、以上のように構成され、このため、靴底カバー部１４が、靴底部側面７４を強く圧接したとしても、アッパーカバー部１２は、アッパー部７６を靴底カバー部１４のように強く圧接するようなことはない。したがって、アッパーカバー部１２の上端に配設された上端開口部１２ａの面積が、靴底カバー部１４の圧接力につられて小さくなることがなく、容易に上端開口部１２ａから足を挿入することができる。また、靴７０に靴カバー１０を被せて足を挿入した後においても、アッパーカバー部１２が、足を締め付け過ぎてしまうことを防止できる。
【００２７】
図４は、第１の実施形態の第１の変形例であって、靴カバー２０を靴７０に被せた場合の概略斜視図、図５は、図４のＣ−Ｃ線切断端面図である。
これらの図において、図１ないし図３の靴カバー１０と同一の構成には、共通する符号を付して重複する説明は省略し、相違点を中心に説明する。
この靴カバー２０において、第１の実施形態と異なるのは、靴カバー２０に保護部材２２および防水材２４を設けた点である。
すなわち、靴底カバー部１４の外周には、石などの外部の衝撃から靴底カバー部１４を保護するための保護部材２２が設けられている。この保護部材２２は、弾性力を有し、かつ、伸縮性を有するゴム等から形成され、本第１の変形例においては、靴底カバー部１４と略同様の伸縮性を備える素材から形成されている。なお、保護部材２２は、図５に示されるように、靴底カバー部１４のみならず、アッパーカバー部１２の表面に設けられていてもよい。
【００２８】
また、靴底カバー部１４の内面には、靴底カバー部１４と靴底部側面７４との隙間を埋めるための防水材２４が設けられている。すなわち、第１の実施形態においては、靴底カバー部１４は、全体がウエットスーツの素材により形成され、靴底カバー部１４全体が縮むことにより、靴底部７４を圧接している。ところが、靴７０には凹凸があり、特に靴底部側面７４の土踏まずの部分は括れている。このため、靴カバー２０を靴７０に被せると、靴底部側面７４と靴底カバー部１４との間には、隙間が生じてしまう。そこで、この靴底部側面７４と靴底カバー部１４との隙間から水などが浸入してこないように、防水材２４を設けている。なお、防水材２４は、図５に示されているように、アッパーカバー部１２の内面にも設けられてもよく、また、靴底カバー部１４の内面全周に設けられてもよい。
【００２９】
この防水材２４は、伸縮性を有する素材から形成され、本第１の変形例においては、靴底カバー部１４と同様の伸縮性を有する素材により形成されている。
より具体的には、ウエットスーツの素材のうちジャージ等を貼り付けていないもの、すなわち、合成ゴムに発泡剤を混ぜて、これを熱で膨らませて形成したクロロプレーンスポンジ等を、所定の大きさに切断して、靴底カバー部１４の内面に接着している。このため、防水材２４の表面には、図５の一点鎖線で囲った部分拡大図ｘに示されるように、発泡材が膨らむことで形成された気泡２４ａを切断したことにより、凹部２４ｂが形成されている。このようにして、防水材２４は、靴底部７４と接触する面に、凹凸部が設けられている。
【００３０】
本第１の実施形態の第１の変形例は、以上のように構成され、このため、靴底カバー部１４が、靴７０を圧接して張った状態にあり、例えば石などが当たった場合に、切れ易い状態であったとしても、このような外部からの衝撃を、保護部材２２が和らげることができる。そして、この保護部材２２は、伸縮性を有する素材から形成されているため、靴底カバー部１４の伸縮性が損なわれて、靴底カバー部１４が靴底部側面７４を圧接する圧接力を弱めることを有効に防止できる。
【００３１】
また、靴底カバー部１４の内面に設けられた防水材２４が、水の浸入を有効に防止できる。そして、この防水材２４も伸縮性を有する素材から形成されているため、靴底カバー部１４の伸縮性が損なわれて、靴底カバー部１４が靴底部側面７４を圧接する圧接力を弱めることを有効に防止できる。
さらに、この防水材２４は、靴底部側面７４と接触する面に凹凸部２４ｂを有するため、この凹凸部２４ｂが滑り止めとなって、靴底カバー部１４が適性な位置からずれてしまうことを有効に防止できる。
【００３２】
図６および図７は、第１の実施形態の第２の変形例であって、図６は、靴カバー３０を靴７０に被せた場合に上斜めから見た斜視図、図７は、靴カバー３０を靴７０に被せた場合に下斜めから見た斜視図である。
これらの図において、図１ないし図５の靴カバー１０，２０と同一の構成には、共通する符号を付して重複する説明は省略し、相違点を中心に説明する。
この靴カバー３０において、第１の実施形態およびその第１の変形例と異なるのは、靴カバー３０を靴７０に締め付けるためのベルト３９を設けた点である。
【００３３】
ベルト３９は、アッパーカバー部１２をアッパー部７６に締め付けるためのアッパーベルト部３２と、靴底カバー部１４を靴底部側面７４に締め付けるための靴底ベルト部３４とを有する。
アッパーベルト部３２は、ウエットスーツの素材あるいはゴム等の伸縮性を有する素材から形成されおり、ベルト３９を靴カバー３０から取り外した場合の平面図である図８に示すように、中心線ＣＬ１を中心にして、輪郭が略左右対称となっている。そして、このアッパーベルト部３２の中心線ＣＬ１が、図６に示す靴カバー３０の短手方向の中心線ＣＬ２と合うようにして、アッパーベルト部３２の部位３２ａ（図８参照）が、靴カバー３０の爪先部７３（図６参照）に固定されている。
【００３４】
また、アッパーベルト部３２は、図６に示すように、足の付け根付近７５で二股に分かれ、この二股に分かれたアッパーベルト部３２が、再び踵付近７７で接続されている。この二股に分かれたアッパーベルト部３２の接続は、図８に示すように、アッパーベルト部３２の部位３２ｂと部位３２ｃとをフォック３５や布ファスナー３６等により接続することにより着脱可能となっている。また、足の付け根付近７５と踵付近７７との間におけるアッパーベルト部３２は、図６および図８に示すように、略逆三角形になっており、部位３２ｅおよび部位３２ｄが靴底部側面７４上に配置されるようになっている。
【００３５】
靴底ベルト部３４は、外部からの衝撃に耐え得るように、硬くて厚いゴムや革等から形成されている。この靴底ベルト部３４の一方の端部３４ａは、靴カバー３０の一方の側面に配置されている。すなわち、靴底ベルト部３４の一方の端部３４ａは、図６に示すように、靴底部側面７４の一方の側面に配置されたアッパーベルト部３２の部位３２ｅに固定されている。
また、図７に示されるように、靴底ベルト部３４の他方の端部３４ｂは、土踏まず７９の側面を経由して、靴カバー３０の他方の側面に接続されている。すなわち、靴底ベルト部３４の他方の端部３４ｂは、靴底部側面７４の他方の側面に配置されたアッパーベルト部３２の部位３２ｄに接続されている。なお、靴底ベルト部３４の他方の端部３４ｂとアッパーベルト部３２の部位３２ｄとの接続は、図８に示すように、フォック３８や布ファスナー３７等により着脱可能となっている。
【００３６】
このようにして、靴底ベルト部３４は、靴カバー３０の一方の側面から、土踏まず７９の側面を経由して、靴カバー３０の他方の側面に掛け渡すようになっている。そして、この靴底ベルト部３４の他方の端部３４ｂを、アッパーベルト部３２の部位３２ｄに接続した場合、伸縮性を有するアッパーベルト部３２が引き伸ばされるように形成されている。
【００３７】
本第１の実施形態の第２の変形例は以上のように構成され、このため、靴底ベルト部３４の他方の端部３４ｂをアッパーベルト部３２の部位３２ｄに接続すると、ベルト３９は、アッパーベルト部３２および靴底ベルト部３４が配置された、例えば靴カバー３０の足の付け根付近７５、踵付近７７、及び土踏まず７９の側面などを、靴７０に締め付けることができる。特に、靴底カバー部１４の靴底部側面７４を圧接する力が最も弱い部分である土踏まず７９の側面を、ベルト３９が締め付けて、靴カバー３０が靴７０から外れてしまうことを有効に防止できる。
【００３８】
図９ないし図１１は、本発明の第２の実施形態であって、図９は、靴カバー４０を靴７０に装着した場合に下斜めから見た斜視図、図１０は、図９のＤ−Ｄ線切断端面図、図１１は、図９のＥ−Ｅ線切断断面図である。
これらの図において、図１ないし図８の第１の実施形態及びその変形例に係る靴カバー１０，２０，３０と同一の構成には、共通する符号を付して重複する説明は省略し、相違点を中心に説明する。
この靴カバー４０において、第１の実施形態及びその変形例と異なるのは、靴カバー４０の内側の空気を排気するようにした点である。
【００３９】
すなわち、アッパーカバー部１２は、図１０に示されるように、履き口７２より上方に延長され、この延長されたアッパーカバー部１２の上端開口部１２ａ側が脚の一部８０に密着し、靴７０の履き口７２側が脚の一部８０との間に内部空間Ｓを有するようにして、脚の一部８０の周囲を覆っている。そして、アッパーカバー部１２は、脚の一部８０の周囲の空気、すなわち、内部空間Ｓ内の空気を排気するための通気口５０を有している。通気口５０は、図９および図１０に示されるように、アッパーカバー部１２に大気に開放された下向きの貫通孔を設けることにより形成されている。これにより、通気口５０に雨が当たらないようにしている。
【００４０】
また、アッパーカバー部１２は、内部空間Ｓ内の空気を通気口５０へ導くための通風路５２を有している。本第２の実施形態において、通風路５２は、ウエットスーツの素材やゴム、シリコン、ウレタン、或いは発泡ポリエチレン等の弾性体を筒状にすることで形成されている。
この通風路５２は、図９および図１１に示されるように、アッパーカバー部１２の周方向に沿って、隣接するようにして複数（図において４本）設けられている。これらの複数の通風路５２は、図１１に示されるように、それぞれアッパーカバー部１２の内面に接着剤５４等で接続され、さらに各通風路５２同士も接着剤５６等により接続されている。また、これらの通風路５２は、脚の一部８０に当たって、アッパーカバー部１２から剥がれてしまわないように、脚の一部８０と複数の通風路５２との間に、ジャージ等の滑り易い布５８などが設けられている。
【００４１】
ここで、この弾性体から形成された通風路５２の一端側は、図１０および図１２に示されるように、例えば人が歩いた際、通風路５２が布５８を介して脚８０に当たって変形し易い位置に配置されている。本第２の実施形態においては、靴７０の履き口７２よりも上部（脚の一部８０とアッパーカバー部１２との間に設けられた内部空間Ｓ内）であって、脚の一部８０の後側に配置されている。
なお、通風路５２の一端側にある開口部５２ａは、上向きに形成することで、開口部５２ａに脚の一部８０が当接して通風路５２の開口部５２ａが塞がれてしまわないようにしている。
【００４２】
これに対して、通風路５２の他端側は、例えば人が歩いた場合であっても、変形し難い箇所に配置されている。すなわち、靴７０の履き口７２よりも下部、本第２の実施形態においては、靴７０の形が保持されているヒールカーブ部７８とアッパーカバー部１２との間に配置されている。
なお、通風路５２の他端側における端部は通気口５０の周縁と接着されており、通風路５２から流れてきた空気が漏れないようにしている。
【００４３】
本発明の第２の実施形態は以上のように構成され、このため、弾性体から形成された通風路５２の一端側は、人が動く度に変形するが、他端側は、履き口７２より下に靴７０があるため、人が歩いても変形し難い。したがって、通風路５２は、人が動く度にポンプの役割をし、通気性の悪いウエットスーツの素材により形成された靴カバー４０であっても、靴カバー４０の内側の湿気を外部空間に効率よく排気することができる。
【００４４】
本発明は上述の実施形態に限定されない。各実施形態の各構成はこれらを適宜相互に組み合わせたり、省略し、図示しない他の構成と組み合わせることができる。
【００４５】
【発明の効果】
以上説明したように、本発明によれば、靴カバーを靴からはずれ難くすると共に、足を挿入し易い靴カバーを提供することができる。
【図面の簡単な説明】
【図１】本発明の第１の実施形態にかかる靴カバーであって、靴に装着する前の概略縦断面図。
【図２】図１のＡ−Ａ線の位置における水平断面図。
【図３】図１のＢ−Ｂ線の位置における水平断面図。
【図４】第１の実施形態の第１の変形例であって、靴カバーを靴に被せた場合の概略斜視図。
【図５】図４のＣ−Ｃ線切断端面図。
【図６】第１の実施形態の第２の変形例であって、靴カバーを靴に被せた場合に上斜めから見た斜視図。
【図７】第１の実施形態の第２の変形例であって、靴カバーを靴に被せた場合の下斜めから見た斜視図である。
【図８】ベルトを靴カバーから取り外した場合の平面図。
【図９】本発明の第２の実施形態であって、靴カバーを靴に装着した場合に下斜めから見た斜視図。
【図１０】図９のＤ−Ｄ線切断端面図。
【図１１】図９のＥ−Ｅ線切断端面図。
【図１２】人が歩いている際の通風路の形状の変化を示す図。
【図１３】従来の靴カバーを靴に被せた場合の概略縦断面図。
【符号の説明】
１０，２０，３０，４０・・・靴カバー、１２・・・アッパーカバー部、１４・・・靴底カバー部、２２・・・保護部材、２４・・・防水材、３２・・・アッパーベルト部、３４・・・靴底ベルト部、３９・・・ベルト、５０・・・通気口、５２・・・通風路、７０・・・靴、７２・・・履き口、７４・・・靴底部側面、７６・・・アッパー部
【図１】
2004230035.tif 000003
【図２】
2004230035.tif 000004
【図３】
2004230035.tif 000005
【図４】
2004230035.tif 000006
【図５】
2004230035.tif 000007
【図６】
2004230035.tif 000008
【図７】
2004230035.tif 000009
【図８】
2004230035.tif 000010
【図９】
2004230035.tif 000011
【図１０】
2004230035.tif 000012
【図１１】
2004230035.tif 000013
【図１２】
2004230035.tif 000014
【図１３】
2004230035.tif 000015